(57)【要約】【課題】  扱胴長さの下方に選別部を収設した普通型コンバインでは、扱胴回転に伴う放出風がチャフシーブの上面に送風されて補助ファンの選別風を乱し、送風が途中で消滅して扱卸物の後方移動を妨げたり、上面の塵埃を扱胴回転の方向に吹き寄せる等の課題がある。【解決手段】  これらの課題を解消するために、補助ファン１の副選別風路２をチャフシーブ前３とグレンシーブ５の間に形成し、唐箕ファン１５の上方に設置した補助ファン１から、斜降風路１３を経由して前記副選別風路２を直進する水平方向の風向に変化させ、篩線６ａの下側を送風させるとともに唐箕ファン１５の選別風を該篩線６ａの下方で合流させ、強い選別風を篩選別に作用させて穀粒の分離効果を高め、排塵室７を介して扱室１０の後方と、排風口４３から排塵するようにした選別装置の提供である。【選択図】  図１
2005065615.tif 000002
【特許請求の範囲】
【請求項１】
機体の進行方向に架設した軸流扱胴の下方に前後動する揺動選別体を設け、前方に唐箕ファンと補助ファンを併設して、選別部に形成した複数の選別風路に送風する選別装置を備えた全稈投入の普通型コンバインにおいて、唐箕ファン（１５）の上方に併設した補助ファン（１）に揺動選別体（１７）に設けた副選別風路（２）を接続し、該補助ファン（１）から送風した選別風をチャフシーブ前（
３）の下側を送風させ、扱胴（２０）の回転で生じる放出風から選別風を保護するとともに、排塵室（７）を介して扱室（１０）と連通する排塵口（３１）に排風させたことを特徴とするコンバインの選別装置。
【請求項２】
副選別風路（２）に送風した選別風をチャブシーブ前（３）の後端に設けた篩線（６ａ）の下側を通過させ、唐箕ファン（１５）から主選別風路（８）に送風した選別風と該篩線（６ａ）の下方で合流させて篩選別を行い、分離した二番物の全量をチャフシーブ後（４）に受継がせたことを特徴とする請求項１に記載したコンバインの選別装置。
【発明の詳細な説明】
【技術分野】
【０００１】
本発明は、軸流扱胴を装備した扱室の下方に揺動選別装置と複数の選別ファンを併設し、選別風路を多層に形成した普通型コンバインの選別装置に関するものである。
【背景技術】
【０００２】
従来、唐箕ファンと別途に補助ファンを併設して揺動選別体と選別部を組合せ
、複数の選別風路を形成するものが知られているが、唐箕ファンのケーシングを分割して第一と第二風路を設け、主選別風路と別途に構成する第二風路をチャフシーブとグレンシーブの間に形成し、分流した選別風がファンケースを迂回してチャフシーブを通過した扱卸物に作用するとともに、篩線を該チャフシーブ後端から延設して篩選別をする選別形態にしたものがある（例えば特許文献1参照。
）。しかし、唐箕ファンを分割した構成では、主選別風路に作用する扱卸物が作業能率の変化によって増減し、これに伴い変動する送風圧力が分割した一方の選別風路に逃げることから風速が低下して、選別不良になる等の課題があり、これを解消するために、個別のファンによる分割風路を形成したものである。又、チャフシーブの前端に補助ファンの選別風を分流する案内板を設けて、前記チャフシーブの上面と下面に選別風を送風させるものがある（例えば特許文献２参照。）。この構成は、送風口に分流する空間室を介在させてあり、風路がファンと接続する構成でない。その他に、選別装置の下層に三連のシロッコファンを水平方向に設け、補助ファンに相当するシロッコファンを扱室の先端よりも前方に配置させ
、揺動選別体のチャフシーブとグレンシーブの間に送風し、唐箕ファンの選別風とともに扱室の後方に設けた吸引ファンに排風するものがある（例えば特許文献３参照。）。このような選別構造は、選別長さを拡大したり吸引ファンの位置を高くして塵埃と穀粒の分離を行い易くする構成であって、全稈投入する普通型コンバインの形態と異なる構造である。
【０００３】
【特許文献１】特開平７−６７４６１号公報  （第４頁、第４図）
【特許文献２】実開平１−７７３３３号公報  （第１頁、第１図）
【特許文献３】実開平３−１０７３２号公報  （第４−５頁、第１図）
【発明の開示】
【発明が解決しようとする課題】
【０００４】
扱胴の下方に選別部が収設された普通型コンバインでは、扱胴回転に伴う放出風が受け網を介して回転方向に送風され、従来方式のグレンパンやチャフシーブの上面を後方に送風させる補助ファンの選別風を乱し、該選別風を途中で消滅させ塵埃の揺動運動を妨げ選別機能を低下させたり、浮揚した塵埃が扱胴回転方向に吹き寄せられる等の課題がある。
【課題を解決するための手段】
【０００５】
このような問題点を改善するために、補助ファンに接続した選別風路をチャフシーブ前の下側に設け、前述する扱胴の放出風から選別風を保護し、後方に直進する送風を実現させたものである。
【０００６】
唐箕ファンの上方に併設した補助ファンに揺動選別体に設けた副選別風路を接続し、該補助ファンから送風した選別風を前記チャフシーブ前の下側を送風させ
、扱胴の回転で生じる放出風から選別風を保護するとともに、排塵室を介して扱室と連通する排塵口に排風させ、副選別風路内の選別風を水平方向に直進する送風にし、扱室と排風口に連通した排塵室に排出する選別装置にしてある。
【０００７】
副選別風路に送風した選別風をチャブシーブ前の後端に設けた篩線の下側を通過させ、唐箕ファンから主選別風路に送風した選別風と該篩線の下方で合流させて篩選別を行い、分離した二番物の全量をチャフシーブ後に受継がせて未処理物を回収する選別構造にした。
【発明の効果】
【０００８】
副選別風路に送風した選別風が途中で衰退せずに直進する構成にしたので、小型の補助ファンでも送塵速度が確保でき、チャフシーブ前から落下した扱卸物から塵埃を後方に吹き飛ばす選別風にするとともに、主選別風路の選別風と篩線部で合流させて送風力を増強し、その選別風が篩選別に作用して穀粒分離が促進され処理量が増加した脱穀機の選別性能に適合するものである。又、扱胴の終端に開放した排塵口の下手側から合流した選別風の排風を作用させ、扱胴の後端から放出する排塵の方向を後方に変化して塵埃を拡散させる利点がある。
【発明を実施するための最良の形態】
【０００９】
選別部１６の後端よりも長い扱胴２０を装備した普通型コンバインでは、該選別部１６の高さが制限され、狭い空間を水平方向に送風する選別構造が要求されるようになり、これに適応する該選別部１６のコンパクト化と高性能化をさせる選別装置にしたものであって、前記扱胴２０の回転に伴って発生する放出風が受け網２１を介して、揺動選別体１７の中央付近で最も強くなりチャフシーブ前３から下方に吹き抜け、従来技術である補助ファン１や唐箕ファン１５を分流してチャフシーブ前３の上面を送風する風向を乱し、途中で消滅して選別効果を著しく低下させる等の弊害がある。
【００１０】
このように扱胴２０で上方を覆われた揺動選別体１７の後端まで送風できる補助ファン１を唐箕ファン１５の上方に設け、副選別風路２内を水平方向に送風する選別風がグレンシーブ５の上方で塵埃を吹き飛ばし、後方に延設した篩線６ａの下方で主選別風路８の送風と合流する選別風になり、前記篩線６ａで二番物を分離する篩選別を助長し、チャフシーブ後４に分離した二番物の全量を受継がせて未処理物を回収する揺動選別の構成にしてあり、篩選別と揺動選別の双方に補助ファン１の選別風が有効に作用して、選別性能を向上させた選別装置の形態である。前記する詳細の内容を以下に記載した実施例で説明する。
【実施例】
【００１１】
以下、本発明による選別装置についって、図５のコンバインに搭載した脱穀部の左側面図と図３に示す要部を断面した後面図で説明すると、左右一対のクローラ走行装置２２に支持された機台２３上に脱穀部Ａを搭載し、前方に昇降自在の刈取部Ｂを装着して刈高さ調節を行ないながら分草板２５と、引起しリール２６で浮揚させた穀稈を刈刃２７で切断し、扱胴２０の前面と連結するフィーダハウス２８に収集させ、内設したスラットコンベヤ３０によって該扱胴２０の始端側に供給し、受け網２１で下半周を包囲した扱室１０で脱粒と処理を行い、終端側に移動した塵埃を下向きに開放する排塵口３１から選別部１６の後方に排塵させた脱粒処理の経路にしたものである。
【００１２】
一方脱穀した扱卸物の選別経路は、扱室１０で発生した穀粒と未処理物が受け網２１から漏下して扱卸物となり、前後に揺動運動をする揺動選別体１７上に設けたフィードパン１１とチャフシーブ前３に落下し、揺動選別を受けながら後方に移動した扱卸物を連設した篩線６ａによって篩選別を行い、主に単粒化した穀粒を分離しながら図１に示す一番回収域４１に集穀する経路と、一方枝梗付着粒と少量の単粒が混合する二番物を後方に配置したチャフシーブ後４で再選別し、二番回収域４２に落下した還元物を二番コンベヤ４０に回収する選別経路に分別してあり、藁屑等の塵埃は前記選別部１６の前方に設けた唐箕ファン１５の選別風と、並設した補助ファン１でグレンシーブ５上を送風する矢印イ方向の選別風で吹き飛ばし、前記扱室１０の後方下に開口した排風口４３から矢印ニ方向に排風させ、扱胴２０に連通した排塵口３１に塵埃を放出する構成にしてある。
【００１３】
選別部１６で分離した良穀粒を図２の後面図に示すように一番コンベヤ３３に集穀し、終端部が連結した揚穀コンベヤ３５に受継ぎ、脱穀部Ａに並設したグレンタンク３６に良穀粒を一時貯留するものである。このように集積した穀粒の排出は、機体の後方に回動自在に立設させた縦オーガ３７で揚穀し、排出オーガ３８の基部に受継がせて任意方向の旋回と、昇降を行い収納容器や運搬車に穀粒を排出するものである。
【００１４】
複数のファンを装備した選別装置を図１の脱穀部を断面した側面図と、図２の後面図で説明すると、前述するように扱室１０の始端側から落下した扱卸物をフィードパン１１とチャフシーブ前３で受止め、前後動する該揺動選別体１７で後方に移送させながら揺動選別を行い、該チャフシーブ前３の後端で上下振動する篩線６ａによって、再度の篩選別を実施するチャフシーブの構成にしてある。一方扱室１０の終端側から漏下した扱卸物が二番選別域４２の全面を覆うチャフシーブ後４に落下し、該チャフシーブ後４と平面視で重なる配置にした前記篩線６ａで分離した二番物の全量とともに揺動選別を行い、後端に連設した篩線６ｂで穀粒と未処理物を回収する選別装置にしたものである。
【００１５】
選別風路の構成は、グレンシーブ５とチャフシーブ前３との間に副選別風路２を形成し、補助ファン１の吐風口４６に臨ませて選別部１６の上層風路を構成し
、唐箕ファン１５と連通する主選別風路８を下層側に設け、流穀板３２に沿った選別風を矢印ロ方向に吹き上げ、篩線６ａの下方で前記副選別風路２を直進する選別風と合流させて、該篩線６ａを通過する送風速度を高めて篩選別を助長するものであり、前記グレンシーブ５を挟んだ上、下層の風路に個別のファンから選別風を送給し、前記篩線６ａ部で集中させた選別経路にしたものである。
【００１６】
副選別風路２の構造について図３の要部拡大図と図４の斜視図を併用して説明すると、選別部１６の前方枠に横設した補助ファン１の軸芯４５を前記チャフシーブ前３よりも高く設定し、唐箕ファン１５の上方に重設させて該選別部１６の長さを短縮するとともに、吐風口４６をフィードパン１１と唐箕ファンケース１２の間に臨ませ、揺動選別体１７の始端側に形成した斜降風路１３の給風口４７を介し、副選別風路２を矢印イ方向に吹き抜ける送風路の構造にしてある。又、前記斜降風路１３に連なるチャフフィン５０の前端に風当する選別風を回避させるために、案内板４８をグレンシーブ５の裏面に設けて、斜降する風向を更に下向きに転換した下降風にして、上昇する選別風を防止した風路の構成にしたものである。
【００１７】
前述したように斜降風路１３が副選別風路２の始端側に形成され、その下降端を矢印イの方向に直進させる水平面５２を底板５１に張設し、下降風を水平方向に変化させて金網で成形したグレンシーブ５の上側を送風する前記副選別風路２の構成にしたので、従来技術に見られるようなチャフシーブ前３の上面を補助ファン１で送風したり、チャフフィン５０の間を吹き抜ける選別風にした構成とは異なり、図２に示す扱胴２０の回転によって発生した矢印ハ方向の放出風から選別風を保護し、チャフシーブ前３の下側を水平に直進する送風方向にしたものであり、上記するような補助ファン１の選別風を乱して選別部１６の後方に到達しない消滅風になる等の課題を解決するものである。
【００１８】
副選別風路２内を後方に直進する送風は、チャフシーブ前３の終端から排塵室７側に延設した篩線６ａの下方に到達し、主選別風路８から吹き上げる選別風と合流して送風力を強め、前記篩線６ａによる篩選別を効率よく行う選別風路にしたものである。又、矢印ハ方向の放出風が及ぼす影響をチャフシーブ前３で回避し、補助ファン１から矢印イ方向に直進する送風が確保され、チャフフィン５０を通過した扱卸物から塵埃を後方に吹き飛ばし、前記グレンシーブ５の揺動選別を効果的に行うものである。
【００１９】
このように併設したファンの駆動装置は、選別枠体の前側に架設したカウンター軸６０から行うものであって、軸端に固定した駆動プーリ６１を多条溝にし、補助ファン１側の入力プーリ小６３にＶベルト６５ａを巻回させて小型ファンが高速回転をするものである。一方の唐箕ファン１５を駆動する入力プーリ大６６を分割プーリの構造にし、巻回させたＶベルト６５ｂの張力を変えて回転速度を増減する回転調節装置６７を対設して、主選別風路８の風力を単独で調節できる動力の伝達構造にしたものである。
【００２０】
図４は選別部の斜視図であって、二番物を選別するチャブシーブの構造を説明すると、チャフフィン５０の角度調節を備えたチャフシーブ前後３、４を揺動選別体１７の上段と下段に連設し、双方のチャフシーブ後端から篩線６ａ、６ｂを延設して該揺動選別体１７とともに上下動させ、流穀板３２の裏面側に横設したセカンドファン５５の選別風を下方から送風し、二番回収域４２に未処理物や還元粒を落下させて機外に飛散する損失粒を最小限に抑止するものである。
【００２１】
二番物を再選別するチャフシーブ後４の構成は、後方に延設した篩線６ｂと上手側に設けた無孔のラック板６８によって該チャフシーブ後４を形成し、該二番回収域４２の上面を覆い二番コンベヤ４０に通じる隙間を塞いだ選別構造にしてあり、その上部空間に臨ませた受け網２１との間に排塵室７を設けて、各々のファンから送風した選別風を放出するものである。尚、３４は篩線６ｂからの落下物を二番コンベヤ４０に掻き落す階段状の戻し板である。
【００２２】
この排塵室７を通過する補助ファン１と唐箕ファン１５の合流風や、セカンドファン５５の選別風を図２の後面視において、受け網２１で仕切られたＵ字型の排風口４３に排出する一方、排塵室７を介して受け網２１を通過した排風の一部が扱室１０に供給され、扱胴回転で後方に誘導しながら排塵口３１から矢印ホ方向の機外に放出する排風経路にしたものである。
【００２３】
以上説明したように、補助ファン１に連設した副選別風路２をチャフシーブ前３とグレンシーブ５の間に形成し、該チャフシーブ前３の後端から延設した篩線６ａの下側を送風する副選別風路２にし、揺動選別体１７の途中で選別風が消滅せずに直進するようになり、小型の補助ファン１でも前記揺動選別体１７を吹き抜ける送塵速度が維持され選別部１６のコンパクト化を可能にしたものである。
【００２４】
唐箕ファン１５の上方に併設した補助ファン１に副選別風路２を接続し、該補助ファン１から送風した選別風をチャフシーブ前３の下側を送風させ、扱胴２０の回転で生じる放出風から選別風を保護するとともに、排塵室７を介して扱室１０と連通する排塵口３１に排風させたことによって、前記副選別風路２を直進する送風力が強まって塵埃を排風口４３に吹き飛ばし、選別性能を向上させた風路構造になった。又、排風の一部が扱胴２０に巻回したスクリューコンベア１８に誘導される排風となり、補助ファン１、唐箕ファン１５、セカンドファン５５の各ファンから送風した選別風の排出が排風口４３と、扱室１０を介して排塵口３１に排風され、選別部１６内の風圧が減衰し易くなって機体周辺からの粉塵立ちが防止できた。
【００２５】
副選別風路２に送風した選別風をチャブシーブ前３の後端に設けた篩線６ａの下側を通過させ、唐箕ファン１５から主選別風路８に送風した選別風と該篩線６ａの下方で合流させて篩選別を行い、分離した二番物の全量をチャフシーブ後４に受継がせる構成にしたので、該篩線６ａの下方で送風力が強まり篩選別による穀粒分離が促進されるとともに、二番物の全量をチャフシーブ後４で受け止める構成にしたことで、二番コンベヤ４０に直接落下する選別隙間が塞がれ、揺動選別が広い面積で行えるようになり還元物に混入する塵埃が減少し、損失粒が防止されて二番物の選別精度も向上した。
【００２６】
又、扱胴２０の終端を開口した排塵口３１の上手側から選別部１６の排風が作用するために、扱室１０から放出する排塵が後方に変化して、塵埃を拡散させる等の効果がある
【産業上の利用可能性】
【００２７】
穀粒と塵埃を分離する選別装置に小型の補助ファンを併設し、長い揺動選別体を採用して選別性能を向上させる脱穀機や、選別体の後端まで選別風を作用させる複数の風路を設けた選別装置の長さを短縮する場合に適用できる。
【図面の簡単な説明】
【００２８】
【図１】脱穀部を断面した側面図である。
【図２】脱穀部を断面した後面図である。
【図３】選別部を断面した要部拡大図である。
【図４】選別部の斜視図である。
【図５】コンバインの左側面図である。
【符号の説明】
【００２９】
Ａ・・脱穀部          Ｂ・・刈取部
１・・補助ファン      ２・・副選別風路        ３・・チャフシーブ前
４・・チャフシーブ後  ５・・グレンシーブ      ６・・篩線
７・・排塵室          ８・・主選別風路      １０・・扱室
１１・・フィードパン  １２・・唐箕ファンケース１３・・斜降風路
１５・・唐箕ファン    １６・・選別部          １７・・揺動選別体
２０・・扱胴          ２１・・受け網          ３１・・排塵口
３２・・流穀板        ３３・・一番コンベヤ    ４０・・ニ番コンベヤ
４１・・一番回収域    ４２・・二番回収域      ４３・・排風口
４５・・軸芯          ４６・・吐風口          ４７・・給風口
４８・・案内板        ５０・・チャフフィン    ５１・・底板
５２・・水平面        ５５・・セカンドファン  ６８・・ラック板
矢印イ・・補助ファンの送風方向
矢印ロ・・主選別風路を吹き上げる選別風の方向
矢印ハ・・扱胴から発生する放出風の方向
矢印ニ・・選別風を後方に排風する方向
【図１】
2005065615.tif 000003
【図２】
2005065615.tif 000004
【図３】
2005065615.tif 000005
【図４】
2005065615.tif 000006
【図５】
2005065615.tif 000007